(57)【特許請求の範囲】
【請求項１】
入力部（１ａ），出力部（１ｂ）および演算部（１ｃ）を持つ既設電気品（１）に対し、入力部（２ａ），出力部（２ｂ）および演算部（２ｃ）を持つ新設電気品（２）に更新する方法であって、
更新作業中に新設電気品（２）の内側には、中継入力部（３ａ），中継出力部（３ｂ），比較回路（６）および記憶部（７）を配置し、接続するに当たり、
新設電気品（２）の入力部（２ａ）の内側端子と前記中継出力部（３ｂ）の内側端子とを接続し、
新設電気品（２）の出力部（２ｂ）の内側端子と前記中継入力部（３ａ）の内側端子とを接続し、
前記新設電気品（２）の出力部（２ｂ）と前記中継入力部（３ａ）との間の接続線の途中と、前記演算部（２ｃ）との間に、前記比較回路（６）を接続し、前記比較回路（６）に記憶部（７）を接続する第１ステップと、
既設電気品（１）に接続されている外部入力（４ａ），外部出力（４ｂ）のケーブルを外し、新設電気品（２）の入力部（２ａ），出力部（２ｂ）に各々接続し、
新設電気品（２）の中継出力部（３ｂ）と既設電気品（１）の入力部（１ａ）と、新設電気品（２）の中継入力部（３ａ）と既設電気品（１）の出力部（１ｂ）とを、各々中継ケーブル（５ａ，５ｂ）で接続する第２ステップと、
既設電気品（１）と新設電気品（２）の両方を作動させ、既設電気品（１）の演算部（１ｃ）と新設電気品（２）の演算部（２ｃ）から出てくる信号を前記比較回路（６）で比較させ、その結果を記憶部（７）に記憶させ、作動状態を確認する第３ステップと、
動作確認が完了後、既設電気品（１）を撤去すると共に、中継ケーブル（５ａ，５ｂ），中継入力部（３ａ），中継出力部（３ｂ），比較回路（６）および記憶部（７）を撤去する第４ステップとを含む電気品システムの更新方法。
【発明の詳細な説明】
【技術分野】
【０００１】
本発明は、制御装置を制御盤などの電気品によって制御しているとき、既設電気品を新設電気に更新する電気品システムの更新方法に関するものである。
【背景技術】
【０００２】
この種の従来例１として、図２に示すような方法がとられていた。即ち、１は取り替えようとする既設電気品（制御盤）であり、入力部１ａ、出力部１ｂおよび演算部１ｃを持っている。２は新しく取り入れる新設電気品（制御盤）であり、入力部２ａ、出力部２ｂおよび演算部２ｃを持っている。そして、更新するに際し、既設電気品の外部信号線に、新設電気品の信号線を接続し、両方が同時に動作しないように、新設電気品側にスイッチ９ａ，９ｂを設けていた。
【０００３】
従来例２として、図３に示すように、新たに切替盤８を設け、入力信号については信号分配器８ａで両方に分配し、出力信号は信号切替器８ｂでどちらかの信号しか使用できないようにする方法が多く使用されていた。
【０００４】
なお、参考となる特許文献は、下記の３件である。
【特許文献１】特開２０００−１３９３６号（特許第３５８８７９２号）公報
【特許文献２】特開２０００−１３９３７号公報
【特許文献３】特開２００６−３１１３６１号公報
【発明の開示】
【発明が解決しようとする課題】
【０００５】
しかしながら、このような従来の技術では、次のような問題点がある。
例１の場合では、両方を同時にに動作させることができないため、新設電気品の動作確認のための時間を多く取る必要がある。また、両方の動作を同時に確認できないため、動作が正しいかどうかの判断に時間を要する。また、更新後は、新設電気品に設けたスイッチを取り外さないことが多いため、スイッチがトラブルを起こす原因になる場合もある。
【０００６】
例２の場合では、両方を同時に動作させることができるので、新設電気品の動作確認のための時間をを多くとる必要はない、また、両方の動作を同時に確認できるが、両方の動作結果を自動で比較することができないため、人が介在して確認する必要がある。そのうえ、既設電気品と新設電気品との信号の出力タイミングの微妙なズレや、値の微妙なズレを確認するのは容易でない。また、更新後、切替盤を残しておくことが多いため、切替盤がトラブルを起こす原因となる場合もある。
【０００７】
従来の技術では、小規模な電気品や、タイミングや値のズレをあまり気にしない場合には有効であつたが、数百以上の信号線を有する電気品やタイミング、値のズレが大きく影響を与えるような電気品の更新では、多大な時間と労働力が必要であった。また、更新後のトラブルの発生頻度も低くはなかった。
【０００８】
本発明は上記課題を解決し、新設電気品と既設電気品との更新に際し、動作確認が簡単にでき、信号出力の微妙なズレも容易に確認でき、更新後のトラブルの発生頻度を抑えることができる更新方法を提供することを目的とする。
【課題を解決するための手段】
【０００９】
本発明の課題解決手段は、入力部１ａ，出力部１ｂおよび演算部１ｃを持つ既設電気品１に対し、入力部２ａ，出力部２ｂおよび演算部２ｃを持つ新設電気品２に更新する方法であって、更新作業中に新設電気品２の内側には、中継入力部３ａ，中継出力部３ｂ，比較回路６および記憶部７を配置し、接続するに当たり、新設電気品２の入力部２ａの内側端子と前記中継出力部３ｂの内側端子とを接続し、新設電気品２の出力部２ｂの内側端子と前記中継入力部３ａの内側端子とを接続し、前記新設電気品２の出力部２ｂと前記中継入力部３ａとの間の接続線の途中と、前記演算部２ｃとの間に、前記比較回路６を接続し、前記比較回路６に記憶部７を接続する第１ステツプと、既設電気品１に接続されている外部入力４ａ，外部出力４ｂのケーブルを外し、新設電気品２の入力部２ａ，出力部２ｂに各々接続し、新設電気品２の中継出力部３ｂと既設電気品１の入力部１ａと、新設電気品２の中継入力部３ａと既設電気品１の出力部１ｂとを、各々中継ケーブル５ａ，５ｂで接続する第２ステツプと、既設電気品１と新設電気品２の両方を作動させ、既設電気品１の演算部１ｃと新設電気品２の演算部２ｃから出てくる信号を前記比較回路６で比較させ、その結果を記憶部７に記憶させ、作動状態を確認する第３ステツプと、動作確認が完了後、既設電気品１を撤去すると共に、中継ケーブル５ａ，５ｂ、中継入力部３ａ，中継出力部３ｂ，比較回路６および記憶部７を撤去する第４ステップとを含むことである。
【発明の効果】
【００１０】
新設電気品と既設電気品において、同時に作動させ、確認することができ、出力信号の自動比較ができるため、動作確認に多大な労働力が必要なくなる。また、既設電気品と新設電気品との信号の出力タイミングの微妙なズレや、値の微妙なズレも容易に確認することができ、更新後のトラブルの発生頻度を抑えることができる。そのうえ、更新後に不要となる中継入力部、中継出力部、比較回路および記憶部を容易に撤去することが可能である。
【発明を実施するための最良の形態】
【００１１】
以下に本発明の実施の形態を図に基づいて説明する。図１は本発明の方法を適用した設備を配線状況と共に示す図であり、（ａ）は更新前、（ｂ）は更新中、（ｃ）は更新後のものである。図において、１は取り替えようとする既設電気品（制御盤）であり、入力部１ａ、出力部１ｂおよび演算部１ｃを持っている。２は新しく取り入れる新設電気品（制御盤）であり、入力部２ａ，出力部２ｂおよび演算部２ｃを持っている。
【００１２】
そして、更新作業をするに当たり、新設電気品２の内側には、更新を行うに必要な中継入力部３ａ，中継出力部３ｂ，比較回路６および記憶部７を配置し、次のように接続しておく。即ち、新設電気品２の入力部２ａの内側端子と前記中継出力部３ｂの内側端子とを接続する。新設電気品２の出力部２ｂの内側端子と前記中継入力部３ａの内側端子とを接続する。前記新設電気品２の出力部２ｂと前記中継入力部３ａとの間の接続線の途中と、前記演算部２ｃとの間に、前記比較回路６を接続する。前記比較回路６に記憶部７を接続する。（ステツプ１）
【００１３】
さて、このようなシステムにおける制御盤の更新作業は次の手順によって行われる。
既設電気品１に接続されている外部入力４ａ，外部出力４ｂのケーブルを外し、新設電気品２の入力部２ａ，出力部２ｂに各々接続する。また、新設電気品２の中継出力部３ｂ
と既設電気品１の入力部１ａと、新設電気品２の中継入力部３ａと既設電気品１の出力部１ｂとを中継ケーブル５ａ，５ｂで接続する。（ステツプ２）
【００１４】
既設電気品１と新設電気品２両方を作動させ、前記比較回路６で比較させ、その結果を記憶部７に記憶させ、作動状態を確認する。（ステツプ３）
【００１５】
動作確認が完了後、既設電気品１を撤去すると共に、中継ケーブル５ａ，５ｂ及び中継入力部３ａ，中継出力部３ｂ，比較回路６，記憶部７を撤去する。（ステツプ４）
【００１６】
そして、前記比較回路６で次のように信号を比較する。
前記新設電気品２における入力部２ａから前記演算部２ｃを経た信号が前記比較回路６に入力した時点を感知する。前記新設電気品２における入力部２ａから、前記中継出力部３ｂを経て前記既設電気品１の入力部１ａから前記演算部１ｃを経た信号が、前記出力部
１ｂから前記中継入力部３ａを経て、前記比較回路６に入力した時点を感知する。そして、両時点を比較する。次に、前記両時点の差（時間差等）を記憶部７に記憶する。
【００１７】
そして、前記両時点の差が設定値を越えないとき、正常信号を出力させるその後、前記既設電気品１および前記中継入力部３ａおよび前記中継出力部３ｂを除去する。また、前記両時点の差が設定値を越えたとき、異常信号を出力させ、前記新設電気品２の切り換え作業を継続する。
【００１８】
ここで、前記比較回路６に入る信号がデジタル信号である場合は、前記設定値は時間で決められる。また、前記比較回路６に入る信号がアナログ信号である場合は、例えば、既設電気品１からの電圧信号又は電流信号と新設電気品２からの電圧信号又は電流信号との差が或る一定値（値差）を越えれば異常信号を出すように決められる。
【００１９】
本発明は前記した実施例や実施態様に限定されず、特許請求の範囲および範囲を逸脱せずに種々の変形を含む。
【産業上の利用可能性】
【００２０】
本発明は、電気品システムの更新方法に利用される。
【図面の簡単な説明】
【００２１】
【図１】本発明の方法を適用した設備を配線状況と共に示す図であり、（ａ）は更新            前、（ｂ）は更新中、（ｃ）は更新後のものである。
【図２】従来例１の技術の設備を配線状況と共に示す図である。
【図３】従来例２の技術の設備を配線状況と共に示す図である。
【符号の説明】
【００２２】
１  既設電気品
１ａ  入力部
１ｂ  出力部
１ｃ  演算部
２  新電気品
２ａ  入力部
２ｂ  出力部
２ｃ  演算部
３ａ  中継入力部
３ｂ  中継出力部
４ａ  外部入力配線
４ｂ  外部出力配線
５  中継ケーブル
６  比較回路
７  記憶部
【図１】
0005052979.tif 000002
【図２】
0005052979.tif 000003
【図３】
0005052979.tif 000004